(57)【要約】【課題】操作パネルの操作性を向上させることを課題とする。【解決手段】操作メニュー表示部と操作ボタンとを備えた操作パネルを持つシステムにおいて、オペレータが前記操作ボタンを押したままの状態を、該操作ボタンを複数回連続して押しているとシステムに認識させるか否かを切り換える手段として操作メニューに連続認識ボタンを設け、オペレータが前記操作ボタンと前記連続認識ボタンとを共に押している場合は前記操作ボタンを連続して押していると前記システムに認識させ、オペレータが前記操作ボタンのみを押している場合は該操作ボタンを連続して押していないと前記システムに認識させる。【選択図】　　　図１
2004094525.tif 000002
【特許請求の範囲】
【請求項１】
操作メニュー表示部と操作ボタンとを備えた操作パネルを持つシステムにおいて、オペレータが前記操作ボタンを押したままの状態を、該操作ボタンを複数回連続して押しているとシステムに認識させるか否かを切り換える手段として操作メニューに連続認識ボタンを設け、オペレータが前記操作ボタンと前記連続認識ボタンとを共に押している場合は前記操作ボタンを連続して押していると前記システムに認識させ、オペレータが前記操作ボタンのみを押している場合は該操作ボタンを連続して押していないと前記システムに認識させることを特徴とする操作パネル認識方法。
【請求項２】
前記連続認識ボタンをトグルスイッチとし、オペレータが前記連続認識ボタンをオン状態にするかオフ状態にするかによって、オペレータが前記操作ボタンを押したままの状態を、該操作ボタンを複数回連続して押していると前記システムに認識させるか否かを切り換えることを特徴とする請求項１に記載の操作パネル認識方法。
【発明の詳細な説明】
【０００１】
【発明の属する技術分野】
本発明は、操作メニュー表示部と操作ボタンとを備えた操作パネルを持つシステムにおける操作パネル認識方法に関するものである。
【０００２】
【従来の技術】
図２は、従来の操作パネル認識の構成を示す概略図である。操作パネル１は操作メニュー表示部を備え、操作メニュー表示部はマザーボード３から操作パネル制御部２を介して送信されてくる操作メニューの画面データに基づいて操作メニューの画面を表示する。また、操作パネル１の表面は操作ボタンとして任意のブロックに区切られており、各々の操作ボタンには番号が割り当てられている。図２においては、操作パネル１の表面はＡからＹまでの操作ボタンとして設定されている。
【０００３】
操作パネル制御部２は、操作ボタンが押されているか否かを認識し、押された操作ボタンの番号をマザーボード３に送信する。複数個以上の操作ボタンが押されているならば、予め操作ボタンに優先順位を設けておき、その優先順位の最も高い操作ボタンの番号をマザーボード３に送信する。また、操作パネル制御部２は、マザーボード３から操作メニューの画面データを受信し、操作メニューの画面データが正しく送信されてきたかを予め任意に設定した判定基準に従って判定し、不具合がなければ操作メニューの画面データを操作パネル１へと送信する。
【０００４】
マザーボード３は、操作メニューの遷移を制御するため、システムにおける全ての操作メニューとその画面データ、および各々の操作メニューにおいて任意の操作ボタンが押された場合にどの操作メニューに遷移するかの関数とを記憶し、操作パネル制御部２から受信した操作ボタン番号に応じて操作メニューを遷移させ、操作パネル１に新たに表示させるための操作メニューの画面データを操作パネル制御部２に送信する。
【０００５】
以下操作メニューの遷移のフローについて図３を用いて説明する。操作メニューＩの画面には操作ボタンＯと操作ボタンＹが表示されており、操作ボタンＯが押されると操作メニューＩＩに、操作ボタンＹが押されると操作メニューＩＩＩに遷移する。また、操作メニューＩＩの画面には操作ボタンＯが表示されており、操作ボタンＯが押されると操作メニューＩＩＩに遷移する。
【０００６】
今、操作パネル１に操作メニューＩの画面が表示されているとする。ここで、オペレータが操作ボタンＯを押すと、操作パネル制御部２は操作ボタンＯが押されたことを認識し操作ボタン番号Ｏをマザーボード３に送信する。マザーボード３は、操作ボタン番号Ｏを受信すると、操作メニューを操作メニューＩＩへと遷移させ、操作メニューＩＩの画面データを操作パネル制御部２へと送信する。操作パネル１は、操作メニューＩＩの画面データを操作パネル制御部２を介して受信し、操作メニューＩＩの画面を表示する。こうして、メニューＩからメニューＩＩへの遷移は実行される。
【０００７】
しかし、操作パネル制御部２は、現在操作メニューがどのような状態にあるのかを認識していないため、もし操作パネル制御部２が無条件に操作ボタンが押されたことを認識してしまうと、オペレータの意図とは異なった操作メニューの遷移が発生してしまう可能性がある。図３を用いてその一例を示す。
【０００８】
操作メニューＩから操作メニューＩＩに遷移させる場合、オペレータは当然操作メニューＩの画面にて操作ボタンＯを押す。しかし、オペレータがもし操作メニューＩＩの画面が表示された後まで無意識に操作ボタンＯを押し続けていた場合、操作パネル制御部２はオペレータが操作メニューＩＩの画面においても操作ボタンＯを押していると認識してしまうため、操作メニューＩＩＩに遷移してしまう。
【０００９】
これらの現象を防ぐため、操作パネル制御部２は操作ボタン認識フラグを所持し、一度操作ボタンが押されていることを認識すると、オペレータが指等を操作ボタンから一定時間離すまで、新たに操作ボタンが押されたとは認識しないようにしている。これらの処理フロー例を図４に示す。操作ボタン認識フラグは、操作ボタンが押されていると、所定値に設定され続ける。仮にこの所定値を５とする。操作ボタンが押されていないと、一定時間間隔で操作ボタン認識フラグはデクリメントされていく。操作ボタン認識フラグが０にまで減少していない時点では、操作ボタンが押されていても、操作パネル制御部２は押されている操作ボタンの番号をマザーボード３に送信しない。また操作ボタン認識フラグが０にまで減少していない時点で操作ボタンが押された場合は、操作ボタン認識フラグは５に戻る。この操作ボタン認識フラグによって、もしオペレータが操作ボタンを押し続けていても、前述の操作メニューＩＩから操作メニューＩＩＩへの遷移のような不慮の操作メニュー遷移は発生しない。
【００１０】
【発明が解決しようとする課題】
しかしながら、オペレータが操作ボタンを押し続けている状態を、複数回連続して操作ボタンが押されていると操作パネル制御部２に認識させた方が良い場合もある。その一例を図５および図６に示す。操作メニューＩＶは、操作パネル１の画面表示のコントラストを設定する操作メニューである。コントラスト値は操作パネル１に表示され、０から５０まで設定できる。コントラスト値は、操作ボタンＯが押されると１増加し、操作ボタンＹが押されると１減少するものとする。現在のコントラスト値が１０であるとすると、図５に示すように、操作ボタンＯが押されるとコントラスト値は１１に、操作ボタンＹが押されるとコントラスト値は９になる。
【００１１】
ここで、図６に示すように、現在のコントラスト値が０であり、オペレータがコントラスト値を５０に設定したい場合を想定する。オペレータは、コントラスト値を１増加させるために、操作ボタンＯを押す。コントラスト値は０から１となる。このとき、操作ボタン認識フラグは５となる。前述したように、操作ボタン認識フラグが０でない場合は、操作パネル制御部２は操作ボタンが押されたか否かを認識しない。オペレータは、操作ボタン認識フラグを０とするためには、操作パネル１から指等を、非常に短時間ではあるが一定時間は離さなければならない。操作ボタン認識フラグが０となると、操作パネル制御部２は、操作ボタンが押されたか否かを認識できるようになるので、オペレータは、コントラスト値を増加させるために、再び操作ボタンＯを押すことができるようになる。
【００１２】
以下、同様のことを繰り返すことで、コントラスト値は０から５０へと設定することができる。しかし最終的には、オペレータは指等で５０回操作ボタンＯを押し、５０回操作ボタンＯから指等を離さなければならないため、非常に手間がかかることとなってしまう。
【００１３】
本例に限らず、操作ボタンを押し、そして離すという作業を何度も繰り返さなければならないことは、場合によってはオペレータにとって非常に操作性が悪い。
【００１４】
本発明は、操作パネル１の操作性を向上させることを目的としている。
【００１５】
【課題を解決するための手段】
上記の目的は、オペレータが操作ボタンを押したままの状態を、操作ボタンを複数回連続して押しているとシステムに認識させるか否かを切り換える手段として操作メニューに連続認識ボタンを設け、オペレータが操作ボタンと連続認識ボタンとを共に押している場合は操作ボタンを連続して押しているとシステムに認識させ、オペレータが操作ボタンのみを押している場合は操作ボタンを連続して押していないとシステムに認識させることにより達成される。
【００１６】
【発明の実施の形態】
以下実施例図面を参照して本発明を説明する。図７は、本発明における操作パネル１、操作パネル制御部２およびマザーボード３間の情報送受信シーケンスの一例を示す概略図である。まず現在の操作メニューの画面を表示するために、マザーボード３は操作メニューの画面データを操作パネル制御部２に送信する。その際、操作メニューが連続認識ボタンを有するものであれば、マザーボード３は連続認識ボタンとして割り当てた操作ボタンの番号も操作パネル制御部２に送信する。操作パネル制御部２は、マザーボード３から受信した操作メニューの画面データを操作パネル１に表示する。連続認識ボタンの番号を受け取っていれば、操作パネル制御部２はこれを記憶しておく。この時点で操作パネル制御部２は、オペレータが操作ボタンを押すのを待つ状態になる。
【００１７】
次に、オペレータがシステム操作のために操作ボタンを押す。オペレータが連続認識ボタンを押している場合は、操作パネル制御部２は連続認識ボタンの色を反転させるなどして、オペレータが認識し易いようにする。また操作パネル制御部２の操作ボタン認識フラグは、連続認識ボタンが押されているか否かには影響されないこととする。
【００１８】
オペレータが連続認識ボタン以外の操作ボタンを押している場合は、従来通りの処理を行う。
【００１９】
オペレータが連続認識ボタンだけを押している場合は、操作パネル制御部２はマザーボード３に何も情報を送信しない。
【００２０】
オペレータが連続認識ボタンと共に、連続認識ボタン以外の任意の操作ボタンを押している場合は、操作パネル制御部２は両者のボタン番号をマザーボード３に送信するが、先に連続認識ボタンの番号を送信することで、オペレータが操作ボタンを複数回連続して押していると認識させようとしていることをマザーボード３に通知する。両者のボタン番号を送信後、操作パネル制御部２は操作ボタン認識フラグを５にする。
【００２１】
マザーボード３は、連続認識ボタンの番号、連続認識ボタン以外に押された操作ボタンの番号を順に受信した後、受信した操作ボタンの番号に応じて操作メニューを遷移させ、パネル１に新たに表示させる操作メニューの画面データを操作パネル制御部２に送信する。また、新たに表示させる操作メニューに連続認識ボタンが存在するならば、連続認識ボタンの番号を送信する。また、操作メニューの遷移内容に応じて、操作ボタン認識フラグを０にするコマンドをパネル制御部２に送信する等の任意の手段により、操作パネル制御部２の操作ボタン認識フラグを０にする。
【００２２】
以上により、操作メニューが遷移する前からオペレータが連続認識ボタンと操作ボタンを押し続けており、また操作ボタン認識フラグが０となっていれば、再度連続認識ボタンと操作ボタンを押していると操作パネル制御部２に認識させることができる。
【００２３】
図１は、図６と同様のコントラスト値を設定する操作メニューＩＶにおいて、本発明における連続認識ボタンを用いてコントラスト値を０から５０へと設定する一例を示した概略図である。操作ボタンＯが押されるとコントラスト値は１増加し、操作ボタンＹが押されるとコントラスト値は１減少する。また、図１においては、操作ボタンＫを連続認識ボタンとして割り当てている。
【００２４】
オペレータは、コントラスト値を０から５０まで増加させるために、連続認識ボタンとして割り当てた操作ボタンＫと、操作ボタンＯの両者を押し続ける。
【００２５】
操作パネル制御部２は、操作ボタンＯが押されているので、操作ボタン認識フラグを５とし、また連続認識ボタンＫも押されているので、ボタン番号ＫとＯを順にマザーボード３に送信する。
【００２６】
マザーボード３は、まずボタン番号Ｋを受信することで、連続認識ボタンＫが押されていると認識し、次いでボタン番号Ｏを受信することで、コントラスト値を１増加させる。
【００２７】
操作メニューは操作メニューＩＶのまま遷移はしない。その後マザーボード３は、操作パネル１に１増加したコントラスト値を表示するための画面データと、連続認識ボタンの番号Ｋとを操作パネル制御部２に送信し、また前述した操作ボタン認識フラグを０にするコマンドを操作パネル制御部２に送信する等の任意の手段により、操作パネル制御部２の操作ボタン認識フラグを０にする。
【００２８】
操作ボタン認識フラグが０となったため、操作パネル制御部２は操作ボタンが押されていることを認識できるようになる。オペレータは連続認識ボタンＫと操作ボタンＯとを押し続けているため、操作パネル制御部２は再び連続認識ボタンＫと操作ボタンＯが押されていることを認識し、ボタン番号ＫとＯを順にマザーボードに送信する。
【００２９】
以上の処理が繰り返されるため、オペレータは連続認識ボタンＫと操作ボタンＯを押したままコントラスト値を５０に設定することができる。また、連続認識ボタンについては、オペレータがその都度触れるのではなく、トグルスイッチとして処理するようにするのも良い。その場合、連続認識ボタンが有効であれば連続認識ボタンの色を反転させて表示するなどして、オペレータが認識し易いようにする。連続認識ボタンが有効であれば、操作ボタンを押すだけで連続認識が可能となるが、連続認識ボタンが有効であるか無効であるかを切り換える場合は、オペレータは一度連続認識ボタンを押す必要がある。
【００３０】
【発明の効果】
以上説明したように本発明によれば、操作ボタンを押し続けることを、操作ボタンを複数回連続して押しているとしてシステムに認識させるか否かを、オペレータが連続認識ボタンを用いて選択できるようにすることによって、操作パネルの操作性を向上させることができる。
【図面の簡単な説明】
【図１】本発明における操作パネル認識方法による操作パネルの操作性を示す概略図。
【図２】従来の操作パネル認識の構成を示す概略図。
【図３】操作メニュー遷移の一例を示す概略図。
【図４】操作ボタン認識フラグを用いた従来の操作パネル認識の処理フローを示す概略図。
【図５】操作パネルの画面表示のコントラスト設定に対する操作メニュー遷移の一例を示す概略図。
【図６】図５において、従来の操作パネル認識方法では操作性が悪い状況の一例を示す概略図。
【図７】本発明における操作パネル、操作パネル制御部およびマザーボード間の情報送受信シーケンスの一例を示す概略図。
【符号の説明】
１は操作パネル、２は操作パネル制御部、３はマザーボードである。
【図１】
2004094525.tif 000003
【図２】
2004094525.tif 000004
【図３】
2004094525.tif 000005
【図４】
2004094525.tif 000006
【図５】
2004094525.tif 000007
【図６】
2004094525.tif 000008
【図７】
2004094525.tif 000009